【手続補正書】
【提出日】平成20年6月4日(2008.6.4)
【手続補正１】
【補正対象書類名】明細書
【補正対象項目名】特許請求の範囲
【補正方法】変更
【補正の内容】
【特許請求の範囲】
【請求項１】  暗号化コンテンツデータと、前記暗号化コンテンツデータを復号するためのライセンス鍵を含むライセンスとをデータ記録装置から取得して前記暗号化コンテンツデータを復号および再生するデータ端末装置であって、
前記データ記録装置との間のデータのやり取りを制御するインタフェースと、
前記暗号化コンテンツデータを前記ライセンス鍵によって復号および再生するコンテンツ再生手段と、
前記コンテンツ再生手段における再生機能を証明する機能証明書を保持する機能証明書保持部と、
制御手段とを備え、
前記制御手段は、前記暗号化コンテンツデータの再生要求に応じて前記機能証明書を前記インタフェースを介して前記データ記録装置へ送信し、前記機能証明書によって証明された機能が前記ライセンスに含まれる再生制限情報により制限しようとする機能に対応しているとき、前記インタフェースを介して前記データ記録装置から前記暗号化コンテンツデータおよび前記ライセンスを受信し、その受信した暗号化コンテンツデータおよびライセンスを前記コンテンツ再生手段に与える、データ端末装置。
【請求項２】  前記データ記録装置との通信を特定するためのセッション鍵を生成するセッション鍵生成手段と、
前記セッション鍵によってデータを暗号化する暗号処理手段と、
前記セッション鍵によって暗号化された暗号化データを復号する復号処理手段とをさらに備え、
前記暗号化コンテンツデータおよび前記ライセンスを前記データ記録装置から取得するとき、
前記セッション鍵生成手段は、前記データ記録装置との通信を特定するための第１のセッション鍵を生成し、
前記暗号処理手段は、前記機能証明書および前記第１のセッション鍵を、前記データ記録装置から受取った第２のセッション鍵によって暗号化し、
前記制御手段は、前記第２のセッション鍵によって暗号化された前記機能証明書および前記第１のセッション鍵を前記インタフェースを介して前記データ記録装置へ送信する、請求項２から請求項１に記載のデータ端末装置。
【請求項３】  前記制御手段は、さらに、前記第１のセッション鍵によって暗号化された前記再生制限情報および前記ライセンス鍵を前記データ記録装置から受信して前記復号処理手段に与え、前記復号処理手段により復号された前記再生制限情報によって前記暗号化コンテンツデータの再生が制限されていないとき前記暗号化コンテンツデータおよび前記ライセンス鍵を前記コンテンツ再生手段に与える、請求項２に記載のデータ端末装置。
【請求項４】  暗号化コンテンツデータと、前記暗号化コンテンツデータを復号するためのライセンス鍵を含むライセンスとを記録するデータ記録装置であって、
前記暗号化コンテンツデータおよび前記ライセンスを記憶する記憶手段と、
前記暗号化コンテンツデータを前記ライセンスによって復号および再生するデータ再生装置との間でデータのやり取りを行なうインタフェースと、
制御手段とを備え、
前記制御手段は、前記データ再生装置の機能を証明する機能証明書を前記インタフェースを介して受取り、その受取った機能証明書によって証明された機能が前記ライセンスに含まれる再生制限情報により制限しようとする機能に対応しているとき、前記暗号化コンテンツデータおよび前記ライセンスを前記記憶手段から読出して前記インタフェースを介して前記データ再生装置へ送信する、データ記録装置。
【請求項５】  前記データ再生装置との通信を特定するためのセッション鍵を生成するセッション鍵生成手段と、
前記セッション鍵によって暗号化されたデータを復号するもう１つの復号処理手段と、
前記データ再生装置に固有な公開暗号鍵によってデータを暗号化する暗号処理手段とをさらに備え、
前記機能証明書を受信するとき、
前記セッション鍵生成手段は、前記データ再生装置との通信を特定するための第１のセッション鍵を生成し、
前記暗号処理手段は、前記公開暗号鍵によって前記第１のセッション鍵を暗号化し、
前記制御手段は、前記公開暗号鍵によって暗号化された第１のセッション鍵を前記インタフェースを介して前記データ再生装置へ送信し、前記第１のセッション鍵によって暗号化された機能証明書を前記インタフェースを介して受信して前記もう１つの復号処理手段に与え、復号された機能証明書を前記もう１つの復号処理手段から受取り、
前記もう１つの復号処理手段は、前記暗号化された機能証明書を前記第１のセッション鍵によって復号する、請求項４に記載のデータ記録装置。
【請求項６】  前記セッション鍵によってデータを暗号化するもう１つの暗号処理手段をさらに備え、
前記制御手段は、前記機能証明書によって証明された機能が前記ライセンスに含まれる再生制限情報により制限しようとする機能に対応していると判断すると、前記記憶手段から読出した前記ライセンス鍵および前記再生制限情報を前記もう１つの暗号処理手段に与え、前記データ再生装置において生成された第２のセッション鍵によって暗号化されたライセンス鍵および再生制限情報を前記インタフェースを介して前記データ再生装置へ送信し、
前記もう１つの暗号処理手段は、前記第２のセッション鍵によって前記ライセンス鍵および前記再生制限情報を暗号化する、請求項５に記載のデータ記録装置。
【手続補正２】
【補正対象書類名】明細書
【補正対象項目名】００１６
【補正方法】変更
【補正の内容】
【００１６】
【課題を解決するための手段】
この発明によれば、データ端末装置は、暗号化コンテンツデータと、暗号化コンテンツデータを復号するためのライセンス鍵を含むライセンスとをデータ記録装置から取得して暗号化コンテンツデータを復号および再生するデータ端末装置であって、データ記録装置との間のデータのやり取りを制御するインタフェースと、暗号化コンテンツデータをライセンス鍵によって復号および再生するコンテンツ再生手段と、コンテンツ再生手段における再生機能を証明する機能証明書を保持する機能証明書保持部と、制御手段とを備え、制御手段は、暗号化コンテンツデータの再生要求に応じて機能証明書をインタフェースを介してデータ記録装置へ送信し、機能証明書によって証明された機能がライセンスに含まれる再生制限情報により制限しようとする機能に対応しているとき、インタフェースを介してデータ記録装置から暗号化コンテンツデータおよびライセンスを受信し、その受信した暗号化コンテンツデータおよびライセンスをコンテンツ再生手段に与える。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】